(57)【要約】【課題】装着者の口及びその近傍にフィットしてフィルタとの間に隙間が生じてしまうのを確実に回避することができるとともに、装着感を向上させることができるマスクを提供する。【解決手段】装着者の口及びその近傍を覆い、空気を透過可能なマスク本体３と、該マスク本体３の内側に介装されたフィルタ１とを具備したマスクであって、フィルタ１は、低反発のウレタンフォームから成るものであり、好ましくは当該低反発のウレタンフォームに竹炭を含有したものである。【選択図】図１
2007185350.tif 000002
【特許請求の範囲】
【請求項１】
装着者の口及びその近傍を覆い、空気を透過可能なマスク本体と、
該マスク本体の内側に介装されたフィルタと、
を具備したマスクであって、
前記フィルタは、低反発のウレタンフォームから成ることを特徴とするマスク。
【請求項２】
前記フィルタの上部には、内側に膨出した所定形状の膨出部が形成されていることを特徴とする請求項１記載のマスク。
【請求項３】
前記低反発のウレタンフォームには、竹炭が含有されたことを特徴とする請求項１又は請求項２記載のマスク。
【発明の詳細な説明】
【技術分野】
【０００１】
本発明は、装着者の口及びその近傍を覆うためのマスクであって、マスク本体の内側にフィルタが介装されたマスクに関するものである。
【背景技術】
【０００２】
従来のマスクは、ガーゼや不織布から成るマスク本体で主に構成されるとともに、その左右縁部から耳掛け部が延設され、これら左右の耳掛け部を耳に引掛けることにより当該マスク本体を装着者の口及びその近傍（装着者の鼻を含む）を覆うことが可能とされていた。また、マスク本体の内側に厚手のガーゼ等から成る別個のフィルタを介装させ、外部との遮蔽効果を高めるものも提案されていた。尚、かかる先行技術は、文献公知発明に係るものでないため、記載すべき先行技術文献情報はない。
【発明の開示】
【発明が解決しようとする課題】
【０００３】
しかしながら、上記従来のマスクにおいては、別個介装したフィルタが装着者の口及びその近傍の輪郭にフィットさせるのが困難であるという問題があった。即ち、人の顔面は、３次元的に複雑な形状とされているため、装着者の口及びその近傍をマスクにて覆う際、内側のフィルタが顔面形状に追従せず、例えば頬とフィルタ或いは鼻とフィルタとの間に隙間が生じてしまうという問題があった。また、フィルタが装着者の口及びその近傍の形状になじまず、接触した部分及び離間した部分が生じていると、当該接触した部分の顔面に対する面圧が高くなり、装着感が悪化してしまうという問題もあった。
【０００４】
本発明は、このような事情に鑑みてなされたもので、装着者の口及びその近傍にフィットしてフィルタとの間に隙間が生じてしまうのを確実に回避することができるとともに、装着感を向上させることができるマスクを提供することにある。
【課題を解決するための手段】
【０００５】
請求項１記載の発明は、装着者の口及びその近傍を覆い、空気を透過可能なマスク本体と、該マスク本体の内側に介装されたフィルタとを具備したマスクであって、前記フィルタは、低反発のウレタンフォームから成ることを特徴とする。
【０００６】
請求項２記載の発明は、請求項１記載のマスクにおいて、前記フィルタの上部には、内側に膨出した所定形状の膨出部が形成されていることを特徴とする。
【０００７】
請求項３記載の発明は、請求項１又は請求項２記載のマスクにおいて、前記低反発のウレタンフォームには、竹炭が含有されたことを特徴とする。
【発明の効果】
【０００８】
請求項１の発明によれば、マスク本体内側のフィルタが低反発のウレタンフォームから成るので、装着者の口及びその近傍にフィットしてフィルタとの間に隙間が生じてしまうのを確実に回避することができるとともに、フィルタが装着者の口及びその近傍の形状になじんで略均一に接触することとなって装着感を向上させることができる。
【０００９】
請求項２の発明によれば、フィルタの上部には内側に膨出した所定形状の膨出部が形成されているので、かかる膨出部で装着者の鼻の上部を覆わせることができ、鼻とフィルタとの間に隙間が生じてしまうのをより確実に回避することができる。
【００１０】
請求項３の発明によれば、低反発のウレタンフォームには、竹炭が含有されたので、竹炭による消臭或いは抗菌効果等を奏することができる。
【発明を実施するための最良の形態】
【００１１】
以下、本発明の実施形態について図面を参照しながら具体的に説明する。
本実施形態に係るマスクは、図１に示すように、フィルタ１と、袋体２と、マスク本体３とから主に構成されている。マスク本体３は、装着者の口及びその近傍を覆い、空気を透過可能なガーゼ或いは不織布等から成るものであり、その両縁からは例えばゴム製の耳掛け３ａが輪状に延設されている。
【００１２】
袋体２は、ガーゼ等衛生上好ましいとされるものから成り、挿入口２ａからフィルタ１を挿入させてその外周面を略全域に亘って覆うためのものである。また、袋体２は、フィルタ１の外輪郭より若干大きな寸法にて形成されており、当該フィルタ１の変形に確実に追従し得る柔軟性を有したものとされている。尚、袋体２を装着毎に取り替えるようにすれば、常に衛生上好ましい状態とされ得る。
【００１３】
一方、フィルタ１は、袋体２内に収容された状態にてマスク本体３の内側に介装されるものである。すなわち、左右一対の耳掛け３ａを装着者の両耳にそれぞれ掛け、マスク本体３にて口及びその近傍を覆った状態とすると、図２に示すように、フィルタ１が袋体２を介して装着者の口と鼻及びその近傍に当接するとともに、耳掛け３ａの引っ張り力にてフィルタ１が顔面側に押圧されるようになっている。
【００１４】
ここで、フィルタ１は、低反発のウレタンフォームから成るものであり、装着時にマスク本体１の内側に収まる寸法及び形状とされている。尚、「低反発のウレタンフォーム」とは、荷重が付与されて変形し後、その荷重を解いても当該変形がしばらくの間維持されるものをいう。
【００１５】
また、この低反発のウレタンフォームには、竹炭が含有されており、かかる竹炭による消臭効果及び抗菌効果を奏し得るようになっている。また、含有する竹炭からは、マイナスイオンや遠赤外線が放出されることが知られており、これらにより、血行を良好とし疲労を回復することができるとともに、リラクゼーション効果や疲労回復効果を装着者に付与することができる。
【００１６】
然るに、このようなフィルタ１は、例えば、粉末状のウレタンに、粉末状の竹炭を所定量添加した後、同図の如きフィルタ形状に成形して得ることができ、その低反発性故、マスク装着時に装着者の口及びその近傍の形状に沿って変形し、その変形が所定時間維持されるよう構成されている。すなわち、マスク装着時には、フィルタ１が袋体２を介して装着者の口及びその近傍に押圧されるのであるが、当接押圧によりフィルタ１が装着者の顔面形状に倣って変形し、且つ、その変形が所定時間維持されるのである。
【００１７】
従って、本実施形態によれば、上記の如くマスク本体３内側のフィルタ１が低反発のウレタンフォームから成るので、図２に示すように、装着者の口及びその近傍にフィットしてフィルタ１との間に隙間が生じてしまうのを確実に回避することができるとともに、フィルタ１が装着者の口及びその近傍の形状になじんで略均一に接触することとなって装着感を向上させることができる。また、低反発のウレタンフォームは、材質の目が細かいことから、花粉など微細な浮遊物がフィルタを通過してしまうのを確実に回避することができ、花粉対策にも好適である。
【００１８】
本実施形態によれば、マスク本体３及びフィルタ１が装着者の口及び鼻の両者を覆うため、フィルタ１と頬及び鼻との間に隙間が生じてしまうのを確実に回避することができ、呼吸の際に浮遊物等の異物が人体に進入するのを確実に回避することができる。尚、図３に示すように、上部において内側に膨出した所定形状の膨出部ａ、ａを形成したフィルタ１’とするようにしてもよい。この場合、膨出部ａ、ａで装着者の鼻の上部を覆わせることができ、鼻とフィルタとの間に隙間が生じてしまうのをより確実に回避することができる。
【００１９】
以上、本実施形態について説明したが、本発明はこれに限定されるものではなく、例えば袋体２を廃し、フィルタ１を直接マスク本体３の内側に配設するようにしてもよい。その場合、マスク本体３の内側にフィルタ１を固定させるための手段を具備するのが好ましく、例えばマスク本体３内側面にフィルタ１を収容させるポケット等を形成するようにしてもよい。
【００２０】
また、フィルタ１が低反発のウレタンフォームから成るものであれば、例えばトルマリン等竹炭とは異なる他の材料を含有させてもよい。尚、本発明に係るマスクは、手術用、防塵作業用、或いは花粉対策等の何れの用途に用いるものであってもよく、その材質は空気を透過し得るものであれば如何なるものであってもよい。
【産業上の利用可能性】
【００２１】
装着者の口及びその近傍を覆い、空気を透過可能なマスク本体と、該マスク本体の内側に介装されたフィルタとを具備したマスクであって、フィルタが低反発のウレタンフォームから成るものであれば、外観形状が異なるもの或いは他の機能が付加されたもの等にも適用することができる。
【図面の簡単な説明】
【００２２】
【図１】本発明の実施形態に係るマスクを構成要素毎に示す斜視図
【図２】同マスクを装着者が装着した状態を示す模式図
【図３】本発明の他の実施形態に係るマスクにおけるフィルタを示す斜視図
【符号の説明】
【００２３】
１    フィルタ
２    袋体
３    マスク本体
【図１】
2007185350.tif 000003
【図２】
2007185350.tif 000004
【図３】
2007185350.tif 000005